(57)【要約】【課題】蓋部が開状態にあるときに、決済またはそれ以外の業務の処理における誤った操作またはエラーの発生が回避でき、サービス享受者（例えば顧客）の情報が保護され、取引または業務の処理が安全に行われる情報処理装置および取引端末装置を提供することを目的とする。【解決手段】本体と連結され表示部およびタッチ入力の入力部が設けられた蓋部と、本体に対して蓋部が閉じた状態にあるときにはタッチ入力の直前における表示画面とは異なる表示画面をタッチ入力に応じて表示部に表示し（ステップＳ４０４）、蓋部が開かれた状態にあるときにはタッチ入力の直前における表示画面を表示部に表示する（ステップＳ４０２）制御部と、を備える。【選択図】図４
2016033712.tif 000002
【特許請求の範囲】
【請求項１】
本体と、
前記本体と連結され表示部およびタッチ入力の入力部が設けられた蓋部と、
前記本体に対して前記蓋部が閉じた状態にあるときには前記タッチ入力の直前における表示画面とは異なる表示画面を前記タッチ入力に応じて前記表示部に表示し、
前記蓋部が開かれた状態にあるときには前記タッチ入力の直前における表示画面を前記表示部に表示する制御部と、
を備える、情報処理装置。
【請求項２】
前記蓋部が開かれた状態にあるときには、前記タッチ入力の直前における表示画面とは異なる表示画面を前記タッチ入力に応じて前記表示部に表示した後、前記タッチ入力の直前における表示画面を表示する、請求項１記載の情報処理装置。
【請求項３】
前記制御部は、前記入力部を不検知状態とすることにより、前記タッチ入力の直前における表示画面を表示する、
請求項１記載の情報処理装置。
【請求項４】
前記制御部は、前記入力部へのタッチ入力を検知しなかった扱いとすることにより、前記タッチ入力の直前における表示画面を表示する、
請求項１記載の情報処理装置。
【請求項５】
前記制御部は、前記タッチ入力に応じた動作を不実行とすることにより、前記タッチ入力の直前における表示画面を表示する、
請求項１記載の情報処理装置。
【請求項６】
本体と、
前記本体と連結され表示部およびタッチ入力の入力部が設けられた蓋部と、
前記本体に対して前記蓋部が閉じた状態にあるときには前記タッチ入力の直前における表示画面とは異なる表示画面を前記タッチ入力に応じて前記表示部に表示し、
前記蓋部が開かれた状態にあるときには前記タッチ入力後に前記表示部を非表示とする制御部と、
を備える、情報処理装置。
【請求項７】
本体と、
前記本体と連結され表示部およびタッチ入力の入力部が設けられた蓋部と、
取引に用いられるカードの読取りを行うカード読取り部と、
前記本体に格納され、前記カード読取り部に読取られた前記カードによる取引の結果を印刷媒体に印刷する印刷部と、
前記本体に対して前記蓋部が閉じた状態にあるときには前記タッチ入力の直前における表示画面とは異なる表示画面を前記タッチ入力に応じて前記表示部に表示し、
前記蓋部が開かれた状態にあるときには前記タッチ入力の直前における表示画面を前記表示部に表示する制御部と、
を備える、取引端末装置。
【請求項８】
前記蓋部が開かれた状態にあるときには、前記タッチ入力の直前における表示画面とは異なる表示画面を前記タッチ入力に応じて前記表示部に表示した後、前記タッチ入力の直前における表示画面を表示する、請求項７記載の取引端末装置。
【請求項９】
本体と、
前記本体と連結され表示部およびタッチ入力の入力部が設けられた蓋部と、
取引に用いられるカードの読取りを行うカード読取り部と、
前記本体に格納され、前記カード読取り部に読取られた前記カードによる取引の結果を印刷媒体に印刷する印刷部と、
前記本体に対して前記蓋部が閉じた状態にあるときには前記タッチ入力の直前における表示画面とは異なる表示画面を前記タッチ入力に応じて前記表示部に表示し、
前記蓋部が開かれた状態にあるときには前記表示部を非表示とする制御部と、
を備える、取引端末装置。
【発明の詳細な説明】
【技術分野】
【０００１】
本発明は、大画面のタッチ入力／表示画面を備え、本体に対して蓋部が回動可能に設けられている、決済処理を実行可能な情報処理装置および取引端末装置に関するものである。
【背景技術】
【０００２】
従来、情報処理装置等の電子機器において、本体に対して蓋部が回動可能に設けられているものが知られている（例えば、特許文献１の第２図、第８図参照）。
【先行技術文献】
【特許文献】
【０００３】
【特許文献１】特開２０１０−４５７３６号公報
【発明の概要】
【発明が解決しようとする課題】
【０００４】
近年、決済や取引などに用いられる情報処理装置において、民生用の情報処理装置のように、大型のタッチパネルを備えた表示部が採用され始めており、操作もそのタッチパネルによって行われる。しかしながら前述の情報処理装置による決済またはそれ以外の業務の処理において、装置に内蔵された印字ロール紙の交換または補充のために操作者が蓋を持ち上げるとき、またはその交換または補充後に蓋を閉めようとするときには、以下の問題が発生していた。すなわち蓋の開閉時において、操作者が意図せずに、蓋部に設けられたタッチパネルに触れることがあった。その結果、操作者が意図しない決済処理が実行される、または意図しない決済処理の取消がなされることがあった。したがって、情報処理装置の操作者（例えば店員）は、顧客から再度カードを受け取ってもう一度最初から決済をやり直さなければならず、操作者にとって手間がかかるだけでなく、顧客にも手間がかかり、さらには不便をかけ、不快感を招くことがあった。以上に述べた問題は、決済以外の業務における印字ロール紙の補充時または情報処理装置のメンテナンス目的で蓋の開閉を行う際にも発生する可能性があった。さらには、蓋部が開状態にあるときに  、第三者に見られたくない情報が表示され、  サービス享受者（例えば顧客）の情報が保護されないという問題があった。
【０００５】
本発明は、上記従来の問題を解決するためになされたもので、決済またはそれ以外の業務の処理における操作者の意図しない処理の発生を低減させて、操作者および顧客の手間、不便、不快感を軽減する情報処理装置および取引端末装置の提供を目的とする。さらに本発明は、サービス享受者（例えば顧客）の情報が保護される情報処理装置および取引端末装置を提供することを目的とする。
【課題を解決するための手段】
【０００６】
本発明の情報処理装置は、本体と、前記本体と連結され表示部およびタッチ入力の入力部が設けられた蓋部と、前記本体に対して前記蓋部が閉じた状態にあるときには前記タッチ入力の直前における表示画面とは異なる表示画面を前記タッチ入力に応じて前記表示部に表示し、前記蓋部が開かれた状態にあるときには前記タッチ入力の直前における表示画面を前記表示部に表示する制御部と、を備える。
【０００７】
または本発明の情報処理装置は、本体と、前記本体と連結され表示部およびタッチ入力の入力部が設けられた蓋部と、前記本体に対して前記蓋部が閉じた状態にあるときには前記タッチ入力の直前における表示画面とは異なる表示画面を前記タッチ入力に応じて前記表示部に表示し、前記蓋部が開かれた状態にあるときには前記タッチ入力後に前記表示部を非表示とする制御部と、を備える。
【０００８】
本発明の取引端末装置は、本体と、前記本体と連結され表示部およびタッチ入力の入力部が設けられた蓋部と、取引に用いられるカードの読取りを行うカード読取り部と、前記本体に格納され、前記カード読取り部に読取られた前記カードによる取引の結果を印刷媒体に印刷する印刷部と、前記本体に対して前記蓋部が閉じた状態にあるときには前記タッチ入力の直前における表示画面とは異なる表示画面を前記タッチ入力に応じて前記表示部に表示し、前記蓋部が開かれた状態にあるときには前記タッチ入力の直前における表示画面を前記表示部に表示する制御部と、を備える。
【０００９】
または本発明の取引端末装置は、本体と、前記本体と連結され表示部およびタッチ入力の入力部が設けられた蓋部と、取引に用いられるカードの読取りを行うカード読取り部と、前記本体に格納され、前記カード読取り部に読取られた前記カードによる取引の結果を印刷媒体に印刷する印刷部と、前記本体に対して前記蓋部が閉じた状態にあるときには前記タッチ入力の直前における表示画面とは異なる表示画面を前記タッチ入力に応じて前記表示部に表示し、前記蓋部が開かれた状態にあるときには前記表示部を非表示とする制御部と、を備える。
【発明の効果】
【００１０】
本発明の情報処理装置および取引端末装置によれば、蓋部が開状態にあるときに、決済またはそれ以外の業務の処理における操作者の意図しない処理の発生が低減され、操作者および顧客の手間、不便、不快感が軽減される。さらには、取引および業務の処理におけるサービス享受者（例えば顧客）の情報が保護される。
【図面の簡単な説明】
【００１１】
【図１】本発明に係る実施形態の決済端末装置（情報処理装置）の閉鎖状態を示す全体斜視図
【図２】本発明に係る実施形態の決済端末装置（情報処理装置）の全開状態における側断面図
【図３】本実施形態の決済端末装置（情報処理装置）のハードウェア構成の一例を具体的に示すブロック図
【図４】蓋部の開状態検知によるタッチパネル動作の制御フローチャート
【発明を実施するための形態】
【００１２】
以下、本発明に係る実施形態の決済端末装置について、図面を用いて説明する。
【００１３】
図１は、本発明に係る実施形態の決済端末装置１（情報処理装置）の閉鎖状態を示す全体斜視図である。図１に示すように、本発明に係る実施形態の決済端末装置１（情報処理装置）は、例えば磁気読み取りタイプのクレジットカードの決済を行うための決済端末装置に用いることができる。
【００１４】
決済端末装置１は、開口部２Ａにおいて上方が開口した矩形箱状の本体２と、本体２の開口部２Ａを覆う蓋部３を有する。以下の説明において、蓋部３側を上とし、本体２側を下として説明する。蓋部３の上面３Ａには、表示部３Ｂ（液晶表示板  、図３参照）およびタッチ入力検出部３Ｃ（タッチスクリーン、図３参照）からなるタッチパネル表示部３Ｄと、決済端末装置１の電源をＯＮまたはＯＦＦするための電源スイッチ３Ｅと、直前に行った入力操作をキャンセルしてそのひとつ前の状態に戻るための「戻る」キー３Ｆ等を有する。液晶表示板３Ｂには、各種の操作に必要なソフトウェア操作キー、数字入力を行うためのソフトウェア数字キー、ソフトウェア数字キーにより入力された数字、各種の操作を行うために必要な情報または操作された結果を示す情報等が表示される。
【００１５】
図２は、本発明に係る実施形態の決済端末装置１（情報処理装置）の全開状態における側断面図である。図２に示すように、蓋部３は、後端部下部にヒンジ部３Ｇを有しており、本体２に対して上下方向に回動して開口部２Ａを開閉する。蓋部３の前端下面には、プリンタ・モジュール４の一部である上プリンタ部４Ａが取り付けられている。本体２には、蓋部３が開状態となった（すなわち、蓋部３のヒンジ部３Ｇとは反対側端部が本体２から離接した）ことを検知する開状態検知スイッチ２Ｂが設けられる。本体２は、後端部上部にヒンジ部２Ｃを有し、内部中央部に印字ロール紙２Ｄ（印刷媒体）を収容する半円筒形状の収容部２Ｅを有する。収容部２Ｅの前側において、印字ロール紙２Ｄから引き出された引出部２Ｆを本体２の外部まで案内する案内路には、プリンタ・モジュール４の一部である下プリンタ部４Ｂが取り付けられている。下プリンタ部４Ｂの後方には、蓋部３に取り付けられた上プリンタ部４Ａを固定するためのロック部５が設けられている。すなわち蓋部３は、ロック部５が上プリンタ部４Ａを固定することにより、本体２に固定される。プリンタ・モジュール４は、本体２が蓋部３により閉鎖された状態で、上プリンタ部４Ａと下プリンタ部４Ｂとにより形成され、印字ロール紙２Ｄの引出部２Ｆに対して印字を行う。ロック部５に連動しているロック解除ボタン５Ａ（図１参照）の押し下げにより  、上プリンタ部４Ａのロック部５による固定が解除され、蓋部３の回動が可能となる。
【００１６】
（決済端末装置のハードウェア構成）
図３は、本実施形態の決済端末装置１（情報処理装置）のハードウェア構成の一例を具体的に示すブロック図である。決済端末装置１の情報処理部２０は、図１および図２に示す決済端末装置１の各部の処理を全体的に司るＣＰＵ（Ｃｅｎｔｒａｌ  Ｐｒｏｃｅｓｓｉｎｇ  Ｕｎｉｔ）２１を備える。図２では、決済端末装置１の各部がＣＰＵ２１に接続されている。
【００１７】
局所無線通信部２２は、局所無線通信アンテナ２３と接続されており、不図示の局所無線通信路を介して、例えば無線ＬＡＮ（Ｌｏｃａｌ  Ａｒｅａ  Ｎｅｔｗｏｒｋ）による無線通信を行う。局所無線通信は、例えば無線ＬＡＮに限定されず、Ｂｌｕｅｔｏｏｔｈ（登録商標）その他でも良い。広域無線通信部２４は、広域無線通信アンテナ２５と接続されており、不図示の広域無線通信路（ＷＡＮ：Ｗｉｄｅ  Ａｒｅａ  Ｎｅｔｗｏｒｋ）を介して、広域無線通信を行う。広域無線通信は、例えばＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ（Ｃｏｄｅ  Ｄｉｖｉｓｉｏｎ  Ｍｕｌｔｉｐｌｅ  Ａｃｃｅｓｓ）２０００、ＬＴＥ（Ｌｏｎｇ  Ｔｅｒｍ  Ｅｖｏｌｕｔｉｏｎ）等の携帯電話回線による通信を用いることができる。
【００１８】
本実施形態の決済端末装置１は、通信機能として２つの無線通信部、すなわち局所無線通信部２２および広域無線通信部２４を搭載しているが、いずれか片方を搭載してもよい。または、無線通信部の代わりに、ＩＥＥＥ８０２．３などの有線ＬＡＮ、公衆電話回線または専用電話回線などによる有線通信部を備えてもよい。
【００１９】
表示部３Ｂは、例えばＬＣＤ（Ｌｉｑｕｉｄ  Ｃｒｙｓｔａｌ  Ｄｉｓｐｌａｙ）又は有機ＥＬ（Ｅｌｅｃｔｒｏｌｕｍｉｎｅｓｃｅｎｃｅ）を用いて構成され、ＣＰＵ２１が表示を指示した情報又はデータを表示する。タッチ入力検出部３Ｃは、タッチパネル表示部３Ｄに対するユーザ（例えばクレジットカードの登録加盟店の店員、商品を購入した顧客）のタッチ入力を検出する。
【００２０】
フラッシュＲＯＭ（Ｒｅａｄ  Ｏｎｌｙ  Ｍｅｍｏｒｙ）３２は、各種のデータを記憶する。記憶されるデータは、例えば業務に関わるデータでも良いし、決済端末装置１（主に情報処理部２０）の動作を制御するためのプログラムでも良い。また、プログラムには、決済処理用のアプリケーション（ソフトウェア）等、決済端末装置１の動作に係る各種プログラムが含まれる。このため、フラッシュＲＯＭ３２は、プログラムを記録する記録媒体としての機能を有する。
【００２１】
ＤＲＡＭ（Ｄｙｎａｍｉｃ  Ｒａｎｄｏｍ  Ａｃｃｅｓｓ  Ｍｅｍｏｒｙ）３３は、決済端末装置１（主に情報処理部２０）の動作に伴う演算処理等の際に、その途中において発生する処理データを一時的に記憶する等のために用いられるワークメモリである。
【００２２】
キーパッド部３４は、図１に示す電源スイッチ３Ｅと「戻る」キー３Ｆとからなる。
【００２３】
磁気カードリーダ部３５は、磁気カードをスライドさせるためのスリット（図示せず）とともに、図１においてロック解除ボタン５Ａが設けられた本体側面２Ｈとは反対側の本体側面２Ｊ側に設けられる。磁気カードリーダ部３５が磁気カードの磁気ストライプから読み取ったカード情報はＣＰＵ２１に入力される。
【００２４】
プリンタ・モジュール４は、バス変換／信号変換を行うプリンタ・インタフェース（以下、「プリンタＩ／Ｆ」）４１を介してＣＰＵ２１に接続され、制御される。本体２に設けられ、蓋部３が開けられた（すなわち、蓋部３のヒンジ部３Ｇとは反対側の端部が本体２から離接した）ことを検知する開状態検知スイッチ２Ｂ（図２も参照）は、開状態検知部４２を介してＣＰＵ２１に接続される。したがってＣＰＵ２１には、蓋部３が開けられた状態なのか、閉じた状態なのかを示す信号が入力される。
【００２５】
この他、情報処理部２０を始めとする決済端末装置１の各部へ電力を供給するための電源部（図示せず）が設けられる。ＣＰＵ２１と、後述するタンパ制御部３６と、ＳＲＡＭ（Ｓｔａｔｉｃ  Ｒａｎｄｏｍ  Ａｃｃｅｓｓ  Ｍｅｍｏｒｙ）３７とは、バックアップ電池３８と接続され、電源部（図示せず）からの電力の供給が停止しているときには、バックアップ電池３８から電力の供給を受ける。タンパ制御部３６は、決済端末装置１の耐タンパ性を確保するためのものである。「耐タンパ性」とは、装置内部のソフトウェアやハードウェアの不正な解析、改変、または装置内部の情報の不正な奪取、改変、利用不能にする攻撃に対する耐性のことを言う。すなわち耐タンパ性は、例えば、ソフトウェア又はハードウェアが備える内部構造や記憶しているデータの解析の困難さである。耐タンパ性を備えることで、例えば、サービス享受者（例えば顧客）の情報を保護し、取引を安全に行うことができる。サービス享受者の情報は、例えばＳＲＡＭ３７に記憶され、タンパ制御部３６は、上記に述べた不正な解析、改変、攻撃、情報の奪取またはそれらの兆候を検知すると、ＳＲＡＭ３７に記憶された情報を消去またはアクセス不能にする。
【００２６】
さらに、  非接触型ＩＣカードに記録されたカード情報を読み取る非接触型ＩＣカードリーダライタ部、  接触型ＩＣカードに記録されたカード情報を読み取る接触型ＩＣカードリーダ部が設けられてもよい。非接触型ＩＣカードリーダライタ部または接触型ＩＣカードリーダ部により読み取られたカード情報はＣＰＵ２１に入力される。
【００２７】
図４は、蓋部３の開状態検知によるタッチパネル動作の制御フローチャートである。本実施形態における決済端末装置１の特徴については、この図４と、先に説明した図１〜図３と、を用いて説明する。
【００２８】
図４に示すタッチパネル動作のフローチャートにおいて、決済端末装置１の情報処理部２０は、開状態検知スイッチ２Ｂに接続された開状態検知部４２により、蓋部３が開状態か閉状態かを検知する（ステップＳ４０１）。「開状態」であることを検知すると、決済端末装置１の情報処理部２０は、タッチパネル表示部３Ｄのタッチスクリーンへのタッチがタッチスクリーン（タッチ入力検出部３Ｃ）により検出されても、それに応じた動作を行わない（ステップＳ４０２）。具体的な例として、タッチパネル表示部３Ｄの表示画面は、タッチパネル表示部３Ｄのタッチスクリーンへのタッチに応じた遷移が行われない。すなわち決済端末装置１の情報処理部２０は、タッチパネル表示部３Ｄのタッチスクリーンへのタッチの直前に表示される表示画面を、タッチスクリーンへのタッチ後においても、タッチパネル表示部３Ｄに表示する。
【００２９】
または、決済端末装置１の情報処理部２０は、タッチスクリーンへのタッチの直前における表示画面とは異なる表示画面をタッチ後の予め設定された期間に表示した後に、タッチスクリーンへのタッチの直前における表示画面を再び表示してもよい。タッチの直前における表示画面とは異なる表示画面は、例えば表示画面を構成する表示要素のうち、タッチされた表示要素（例えばソフトウェアキー）が強調表示に変更され、それ以外はタッチの直前と同じ表示要素を備えるものであってもよい。タッチパネル表示部３Ｄの表示画面は、タッチされた表示要素の強調表示を一度介した後、タッチ直前の非強調表示に戻る。したがって決済端末装置１は、蓋部３が開かれた状態にあるときにはタッチ入力に応じた動作が行われないことを、操作者に対してより明確に提示できる。
【００３０】
以上のように決済端末装置１の情報処理部２０は、蓋部３が開かれた状態にあるときには、タッチパネル表示部３Ｄのタッチスクリーンへのタッチの直前に表示される表示画面を、タッチスクリーンへのタッチ後においても、タッチパネル表示部３Ｄに表示する。そして蓋部３が閉じた状態にあるときには、タッチパネル表示部３Ｄの表示画面は、タッチパネル表示部３Ｄのタッチスクリーンへのタッチに応じて遷移する。すなわち決済端末装置１の情報処理部２０は、タッチ入力の直前における表示画面とは異なる表示画面を、タッチスクリーンへのタッチ入力に応じてタッチパネル表示部３Ｄに表示する。操作者の意図しない処理の発生は低減され、操作者および顧客の手間、不便、不快感が軽減される。
【００３１】
例えば、決済端末装置１の情報処理部２０が決済処理を実行している途中において、決済内容を示すレシートを印刷しようとした時に、レシートを印刷するためのロール紙２Ｄの残りが少ない状態となっているか、または印刷途中でジャムが発生する場合がある。決済端末装置１の操作者は、蓋部３を閉状態から開状態として、ロール紙２Ｄの交換またはその引出部２Ｆのジャム状態の解消を行う。それらの作業中において、操作者は意図せずに、蓋部３の上面３Ａのかなりの面積を占める、大画面のタッチパネル表示部３Ｄのタッチスクリーンに触れることがある。その場合、決済端末装置１の情報処理部２０がタッチパネル表示部３Ｄのタッチスクリーンへのタッチに応じた動作が実行可能な状態（表示画面の遷移が可能な状態）にあると、操作者が意図しない処理が発生する。例えば、操作者が誤って決済処理を途中で終了させることが考えられる。または操作者が、入力した情報を誤って書き替えまたは消去することが考えられる。あるいは、タッチパネル表示部３Ｄの表示部への表示内容が、操作者の意図しない別の表示内容に遷移して表示されることが考えられる。
【００３２】
この問題を解決するために、本実施形態１における決済端末装置１の情報処理部２０は、蓋部３が開かれた状態にあるときには、タッチパネル表示部３Ｄのタッチスクリーンへのタッチの直前に表示される表示画面をタッチパネル表示部３Ｄに表示する。そして蓋部３が閉じた状態にあるときには、決済端末装置１の情報処理部２０は、タッチ入力の直前における表示画面とは異なる表示画面を、タッチスクリーンへのタッチ入力に応じてタッチパネル表示部３Ｄに表示する。したがって、操作者の意図しない処理の発生は低減され、操作者および顧客の手間、不便、不快感が軽減される。以上の効果は、決済端末装置１を用いた他の業務処理においても同様である。
【００３３】
上記ステップＳ４０２において、蓋部３が開かれた状態にあるときに、タッチパネル表示部３Ｄのタッチスクリーンへのタッチの直前に表示される表示画面をタッチパネル表示部３Ｄに表示するには、いくつかの方法がある。第１の方法は、決済端末装置（情報処理装置）がタッチを検知しない、すなわちタッチパネル表示部３Ｄのタッチスクリーンへのタッチに応じたタッチ入力検出部３Ｃからの検出信号が出力されない状態とすることである。それは、例えば、情報処理部２０がタッチスクリーンを不感状態に設定するか、またはタッチスクリーンへの動作電力の供給を遮断することにより実現される。第２の方法は、決済端末装置（情報処理装置）がタッチの検知はするが、検知しなかった扱いとすることである。例えば、タッチスクリーンからの検出信号は出力されるが、タッチスクリーンによる検出信号のＣＰＵ２１への入力を情報処理部２０が遮断する。または、タッチスクリーンからの検出信号はＣＰＵ２１へ入力されるが、その検出信号の入力を情報処理部２０は感知しない、またはその検出信号に応じた動作プログラムへの入力を行わない。第３の方法は、決済端末装置（情報処理装置）がタッチ入力に応じた動作を不実行とすることである。すなわち、タッチスクリーンからの検出信号が出力され、その検出信号のＣＰＵ２１への入力も行われるが、タッチスクリーンへのタッチ入力に応じたソフトウェアプログラムを、情報処理部２０が不実行とすることである。いずれの方法であってもタッチパネル表示部３Ｄの表示画面は、蓋部３が開かれた状態にあるときには、タッチパネル表示部３Ｄのタッチスクリーンへのタッチに応じて異なる表示画面に遷移しない。すなわち、決済端末装置１の情報処理部２０は、タッチパネル表示部３Ｄのタッチスクリーンへのタッチの直前に表示される表示画面を、タッチスクリーンへのタッチ後においても、タッチパネル表示部３Ｄに表示する。
【００３４】
さらに、蓋部３が開状態にあるときに、決済端末装置１の情報処理部２０は、タッチパネル表示部３Ｄへの表示をＯＦＦしてよい（ステップＳ４０３）。すなわち、決済端末装置１の情報処理部２０は、蓋部３が開かれた状態にあるときには、タッチパネル表示部３Ｄの表示画面を非表示としてもよい。決済端末装置１の情報処理部２０は、タッチパネル表示部３Ｄの表示画面を非表示とするために、図示しないバックライトをＯＦＦにするか、またはタッチパネル表示部３Ｄへの表示画面の信号出力をＯＦＦにする。
【００３５】
決済端末装置１が設置される店舗の操作者は、ロール紙２Ｄの引出部２Ｆ側からタッチパネル表示部３Ｄを見て、決済端末装置１の操作を行う。その操作中において、蓋部３が閉状態から開状態になると、タッチパネル表示部３Ｄに表示される内容が、操作者以外の第三者に見られる可能性がある。タッチパネル表示部３Ｄに表示される内容の中には、例えば顧客のカード情報、暗証番号、店舗の秘密情報、操作者の個人情報などのように、第三者に見られたくない情報がある。蓋部３が開状態にあるときに、決済端末装置１の情報処理部２０がタッチパネル表示部３Ｄへの表示をＯＦＦすれば、このような第三者に見られたくない情報も表示されなくなる。したがって、取引および業務の処理におけるサービス享受者（例えば顧客）の情報が保護される。
【００３６】
決済端末装置１の情報処理部２０は、蓋部３が開状態にある間、以上に述べたステップＳ４０１〜Ｓ４０３を繰り返す。このときに、電源スイッチ３Ｅまたは「戻る」キー３Ｆが押下げられたら、決済端末装置１の情報処理部２０は、タッチパネル表示部３Ｄのタッチスクリーンへのタッチ入力に応じた動作を可能にしてもよい。または、決済端末装置１の情報処理部２０は、タッチパネル表示部３Ｄへの表示を行ってもよい。蓋部３が開状態にある場合において、操作者が決済端末装置１に対する何らかの操作または表示の確認（例えば動作エラーからの脱出または動作エラーの確認、など）を必要とするときに、情報処理部２０はその操作または表示を可能とする。したがって決済端末装置１は、より使い易いものとなる。
【００３７】
ステップＳ４０１において蓋部３の閉状態が検知されると、決済端末装置１の情報処理部２０は、タッチパネル表示部３Ｄのタッチスクリーンへのタッチがタッチ入力検出部３Ｃにより検出され、そのタッチ入力に応じた動作を行う（ステップＳ４０４）。それとともに決済端末装置１の情報処理部２０は、タッチパネル表示部３Ｄへの表示を行う（ステップＳ４０５）。
【００３８】
以上のように本実施形態の決済端末装置によれば、蓋部３が開状態にあるときに、決済またはそれ以外の業務の処理における操作者の意図しない処理の発生が低減され、操作者および顧客の手間、不便、不快感が軽減され、取引および業務の処理におけるサービス享受者（例えば顧客）の情報が保護される。すなわち、操作者が意図しない決済処理が実行され、または意図しない決済処理の取消がなされる可能性は低減される。したがって、情報処理装置の操作者（例えば店員）は、顧客から再度カードを受け取ってもう一度最初から決済をやり直さずに済む。
【００３９】
以上、図面を参照して各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。本発明の情報処理装置および決済端末装置は、前述した実施形態に限定されるものでなく、適宜な変形、改良等が可能である。
【産業上の利用可能性】
【００４０】
本発明は、大画面のタッチ入力／表示画面を備え、本体に対して蓋部が開閉可能に設けられている情報処理装置および決済端末装置への適用に好適である。
【符号の説明】
【００４１】
１    決済端末装置（情報処理装置）
２    本体
２Ａ    開口部
２Ｂ    開状態検知スイッチ
２Ｃ    ヒンジ部
２Ｄ    印字ロール紙
２Ｅ    収容部
２Ｆ    引出部
２Ｈ，２Ｊ  本体側面
３    蓋部
３Ａ    上面
３Ｂ    表示部（液晶表示板）
３Ｃ    タッチ入力検出部
３Ｄ    タッチパネル表示部
３Ｅ    電源スイッチ
３Ｆ    「戻る」キー
３Ｇ    ヒンジ部
４    プリンタ・モジュール
４Ａ    上プリンタ部
４Ｂ    下プリンタ部
５    ロック部
５Ａ    ロック解除ボタン
２０    情報処理部
２１    ＣＰＵ
２２    局所無線通信部
２３    局所無線通信アンテナ
２４    広域無線通信部
２５    広域無線通信アンテナ
３２    フラッシュＲＯＭ
３３    ＤＲＡＭ
３４    キーパッド部
３５    磁気カードリーダ部
３６    タンパ制御部
３７    ＳＲＡＭ
３８    バックアップ電池
４１    プリンタ・インタフェース（プリンタＩ／Ｆ）
【図１】
2016033712.tif 000003
【図２】
2016033712.tif 000004
【図３】
2016033712.tif 000005
【図４】
2016033712.tif 000006
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
本体と、
前記本体と連結され表示部およびタッチ入力の入力部が設けられた蓋部と、
前記本体に格納され、カードによる取引の結果を印刷媒体に印刷する印刷部と、
前記本体に対して前記蓋部が閉じた状態にあるときには前記タッチ入力の直前における表示画面とは異なる表示画面を前記タッチ入力に応じて前記表示部に表示し、
前記蓋部が開かれた状態にあるときには前記タッチ入力の直前における表示画面を前記表示部に表示する制御部と、
を備える、取引端末装置。
【請求項２】
取引に用いられるカードの読取りを行うカード読取り部、を更に備え、
前記印刷部は、前記カード読取り部に読取られた前記カードによる取引の結果を印刷媒体に印刷する、請求項１記載の取引端末装置。
【請求項３】
前記蓋部が開かれた状態にあるときには、前記タッチ入力の直前における表示画面とは異なる表示画面を前記タッチ入力に応じて前記表示部に表示した後、前記タッチ入力の直前における表示画面を表示する、請求項１記載の取引端末装置。
【請求項４】
本体と、
前記本体と連結され表示部およびタッチ入力の入力部が設けられた蓋部と、
前記本体に格納され、カードによる取引の結果を印刷媒体に印刷する印刷部と、
前記本体に対して前記蓋部が閉じた状態にあるときには前記タッチ入力の直前における表示画面とは異なる表示画面を前記タッチ入力に応じて前記表示部に表示し、
前記蓋部が開かれた状態にあるときには前記表示部を非表示とする制御部と、
を備える、取引端末装置。
【請求項５】
取引に用いられるカードの読取りを行うカード読取り部、を更に備え、
前記印刷部は、前記カード読取り部に読取られた前記カードによる取引の結果を印刷媒体に印刷する、請求項４記載の取引端末装置。
【請求項６】
前記制御部は、前記入力部を不検知状態とすることにより、前記タッチ入力の直前における表示画面を表示する、
請求項１記載の取引端末装置。
【請求項７】
前記制御部は、前記入力部へのタッチ入力を検知しなかった扱いとすることにより、前記タッチ入力の直前における表示画面を表示する、
請求項１記載の取引端末装置。
【請求項８】
前記制御部は、前記タッチ入力に応じた動作を不実行とすることにより、前記タッチ入力の直前における表示画面を表示する、
請求項１記載の取引端末装置。
【手続補正３】
【補正対象書類名】明細書
【補正対象項目名】０００１
【補正方法】変更
【補正の内容】
【０００１】
本発明は、大画面のタッチ入力／表示画面を備え、本体に対して蓋部が回動可能に設けられている、決済処理を実行可能な取引端末装置に関するものである。
【手続補正４】
【補正対象書類名】明細書
【補正対象項目名】０００５
【補正方法】変更
【補正の内容】
【０００５】
本発明は、上記従来の問題を解決するためになされたもので、決済またはそれ以外の業務の処理における操作者の意図しない処理の発生を低減させて、操作者および顧客の手間、不便、不快感を軽減する取引端末装置の提供を目的とする。さらに本発明は、サービス享受者（例えば顧客）の情報が保護される取引端末装置を提供することを目的とする。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明の取引端末装置は、本体と、前記本体と連結され表示部およびタッチ入力の入力部が設けられた蓋部と、前記本体に格納され、カードによる取引の結果を印刷媒体に印刷する印刷部と、前記本体に対して前記蓋部が閉じた状態にあるときには前記タッチ入力の直前における表示画面とは異なる表示画面を前記タッチ入力に応じて前記表示部に表示し、前記蓋部が開かれた状態にあるときには前記タッチ入力の直前における表示画面を前記表示部に表示する制御部と、を備える。
【手続補正８】
【補正対象書類名】明細書
【補正対象項目名】０００９
【補正方法】変更
【補正の内容】
【０００９】
または本発明の取引端末装置は、本体と、前記本体と連結され表示部およびタッチ入力の入力部が設けられた蓋部と、前記本体に格納され、カードによる取引の結果を印刷媒体に印刷する印刷部と、前記本体に対して前記蓋部が閉じた状態にあるときには前記タッチ入力の直前における表示画面とは異なる表示画面を前記タッチ入力に応じて前記表示部に表示し、前記蓋部が開かれた状態にあるときには前記表示部を非表示とする制御部と、を備える。
【手続補正９】
【補正対象書類名】明細書
【補正対象項目名】００１０
【補正方法】変更
【補正の内容】
【００１０】
本発明の取引端末装置によれば、蓋部が開状態にあるときに、決済またはそれ以外の業務の処理における操作者の意図しない処理の発生が低減され、操作者および顧客の手間、不便、不快感が軽減される。さらには、取引および業務の処理におけるサービス享受者（例えば顧客）の情報が保護される。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
本体と、
決済処理の手続を表示する表示部と、
前記表示部に表示される前記決済処理の手続表示画面へタッチ入力を行う入力部と、
前記本体と連結され、前記表示部および前記入力部が設けられた蓋部と、
前記本体に対して前記蓋部が閉じた状態にあるときにタッチ入力があると、そのタッチ入力の直前における前記決済処理の第１の手続表示画面から前記決済処理の手続を進める第２の手続表示画面を前記表示部に表示し、
前記蓋部が開かれた状態にあるときにタッチ入力があると、前記決済処理の第１の手続表示画面から前記第２の手続表示画面への変更を行わないよう前記表示部に表示する制御部と、
を備える、取引端末装置。
【請求項２】
前記本体に格納され、カードによる取引の結果を印刷媒体に印刷する印刷部、を更に備える、請求項１に記載の取引端末装置。
【請求項３】
取引に用いられるカードの読取りを行うカード読取り部、を更に備え、
前記印刷部は、前記カード読取り部に読取られた前記カードによる取引の結果を印刷媒体に印刷する、請求項２記載の取引端末装置。
【請求項４】
前記制御部は、前記蓋部が開かれた状態にあるときには、前記決済処理の第１の手続表示画面とは異なる表示画面を前記表示部に表示した後、前記決済処理の第１の手続表示画面を表示する、請求項１記載の取引端末装置。
【請求項５】
前記制御部は、前記蓋部が開かれた状態にあるときには、前記決済処理の第１の手続表示画面とは異なる表示画面を前記表示部に表示した後、前記決済処理の第１の手続表示画面を表示し、さらにその後、前記表示部を非表示とする、請求項１記載の、取引端末装置。
【請求項６】
前記制御部は、前記入力部を不検知状態とすることにより、前記決済処理の第１の手続表示画面を表示する、
請求項１記載の取引端末装置。
【請求項７】
前記制御部は、前記入力部へのタッチ入力を検知しなかった扱いとすることにより、前記決済処理の第１の手続表示画面を表示する、
請求項１記載の取引端末装置。
【請求項８】
前記制御部は、前記タッチ入力に応じた動作を不実行とすることにより、前記決済処理の第１の手続表示画面を表示する、
請求項１記載の取引端末装置。
【請求項９】
本体と、
前記本体と連結され、表示部およびタッチ入力の入力部が設けられた蓋部と、
前記本体に対して前記蓋部が閉じた状態にあるときにタッチ入力があると、そのタッチ入力の直前における表示画面とは異なる表示画面を前記表示部に表示する制御部と、を備え、
前記蓋部が開かれた状態にあるときにタッチ入力があると、前記入力部はそのタッチ入力を検知しない、
取引端末装置。
【請求項１０】
本体と、
前記本体と連結され、表示部およびタッチ入力の入力部が設けられた蓋部と、
前記本体に対して前記蓋部が閉じた状態にあるときにタッチ入力があると、そのタッチ入力の直前における表示画面とは異なる表示画面を前記表示部に表示する制御部と、を備え、
前記蓋部が開かれた状態にあるときにタッチ入力があると、前記制御部はそのタッチ入力を検知しなかった扱いとする、
取引端末装置。
【請求項１１】
本体と、
前記本体と連結され、表示部およびタッチ入力の入力部が設けられた蓋部と、
前記本体に対して前記蓋部が閉じた状態にあるときにタッチ入力があると、そのタッチ入力の直前における表示画面とは異なる表示画面を前記表示部に表示する制御部と、を備え、
前記蓋部が開かれた状態にあるときにタッチ入力があると、前記制御部はそのタッチ入力に応じた動作を不実行とする、
取引端末装置。
【手続補正２】
【補正対象書類名】明細書
【補正対象項目名】０００８
【補正方法】変更
【補正の内容】
【０００８】
本発明は、本体と、決済処理の手続を表示する表示部と、前記表示部に表示される前記決済処理の手続表示画面へタッチ入力を行う入力部と、前記本体と連結され、前記表示部および前記入力部が設けられた蓋部と、前記本体に対して前記蓋部が閉じた状態にあるときにタッチ入力があると、そのタッチ入力の直前における前記決済処理の第１の手続表示画面から前記決済処理の手続を進める第２の手続表示画面を前記表示部に表示し、前記蓋部が開かれた状態にあるときにタッチ入力があると、前記決済処理の第１の手続表示画面から前記第２の手続表示画面への変更を行わないよう前記表示部に表示する制御部と、を備える、取引端末装置である。
【手続補正３】
【補正対象書類名】明細書
【補正対象項目名】０００９
【補正方法】削除
【補正の内容】